(57)【特許請求の範囲】
【請求項１】
少なくとも板金を含んだ第１の部材から立設するように切り起こされた支柱片と、
第２の部材に取り付けられ、内部に前記支柱片の侵入を許容する弾性部材と、を備え、
前記支柱片が前記弾性部材の内部に侵入することにより前記第１の部材と前記第２の部材との相対的な移動を減衰させるダンパ機構において、
前記弾性部材は、その内部に前記支柱片のほぼ全長に亘った侵入を許容する穴を有し、
前記支柱片は、四角柱状に形成されているとともに、
内側の孔の平面形状が前記支柱片の断面形状に対応した四角形の円筒状に形成されて、前記穴の内面と前記穴に侵入した支柱片との間に配されるスリーブを更に備え、
たことを特徴とするダンパ機構。
【請求項２】
前記支柱片の角に面取りが施されていることを特徴とする請求項１記載のダンパ機構。
【請求項３】
前記支柱片が、前記第１の部材寄りの細部と、この細部に連なりかつ該細部より前記第２の部材寄りに位置しているとともに前記細部より太い太部と、を備えたことを特徴とする請求項１又は請求項２記載のダンパ機構。
【請求項４】
前記スリーブは、前記支柱片の外周に取り付けられていることを特徴とする請求項１乃至請求項３のうちいずれか一項に記載のダンパ機構。
【請求項５】
第１の部材から立設する支柱片と、
第２の部材に取り付けられ、内部に前記支柱片の侵入を許容する弾性部材と、
を備え、
前記支柱片が前記弾性部材の内部に侵入することにより前記第１の部材と前記第２の部材との相対的な移動を減衰させるとともに、前記弾性部材の内部に侵入した前記支柱片と前記弾性部材との間に保護部材を配し、
前記保護部材は樹脂成形されていることを特徴とするダンパ機構。
【発明の詳細な説明】
【技術分野】
【０００１】
本発明は、例えば、ＣＤプレーヤなどの各種の電子機器の再生部などの第１の部材と、フレームなどの第２の部材とを相対的に移動自在に支持するダンパ機構に関する。
【背景技術】
【０００２】
例えば、ＣＤ（Compact Disk）などの光ディスクに記録された情報を読み出して、再生するＣＤプレーヤなどの電子機器は、該電子機器の外殻を形成するフレームと、該フレーム内に収容されかつ前記ＣＤなどの光ディスクをクランプして該光ディスクから情報を読み出す再生部とを備えている。
【０００３】
前述したＣＤプレーヤは、自動車に搭載されることがある。このため、ＣＤプレーヤは、前述したフレームと再生部とを相対的に移動自在に支持し、かつこれらの相対的な移動を徐々に減衰するダンパ機構を更に備えている。ダンパ機構は、前述した再生部のシャーシなどから前記フレームに向かって立設したピンと、前記フレームに取りつけられかつ前記ピンが侵入する穴を備えた弾性を有するダンパとを備えている。
【０００４】
前述したピンは、前記シャーシと別体に形成されており、該シャーシに取り付けられている。前述したダンパ機構は、自動車の振動により、フレームと再生部とが相対的に移動すると、ダンパが弾性変形し、かつ中立状態に復帰しようとして、フレームと再生部とが相対的に移動することを許容するとともにフレームと再生部との相対的な振動を徐々に減衰させる。
【発明の開示】
【発明が解決しようとする課題】
【０００５】
前述した従来のダンパ機構は、ピンがシャーシと別部品であるため、部品点数が増加するとともに、組立にかかる工数が増加する傾向であった。
【０００６】
また、前述した従来のダンパ機構は、ピンをダンパの穴内に挿入するので、フレームと再生部とが相対的に移動して、ダンパの穴内でピンが移動しようとすると、ピンが穴の内面を押圧して弾性部材としてのダンパを不意に破損させることがあった。ダンパが、ゴムからなる外皮とこの外皮内に充填されたシリコーンオイルとを備えた場合には、特に、ダンパが破損することは望ましくない。
［０００７］
したがって、本発明の第１の目的は、例えば、部品点数と組み立てにかかる工数とを削減して、低コスト化を図ることができるダンパ機構を提供することにある。本発明の第２の目的は、例えば、弾性部材が不意に破損することを防止できるダンパ機構を提供することにある。
［課題を解決するための手段］
【０００８】
前記第１の目的を達成するために、請求項１に記載の本発明のダンパ機構は、少なくとも板金を含んだ第１の部材から立設するように切り起こされた支柱片と、第２の部材に取り付けられ、内部に前記支柱片の侵入を許容する弾性部材と、を備え、前記支柱片が前記弾性部材の内部に侵入することにより前記第１の部材と前記第２の部材との相対的な移動を減衰させるダンパ機構において、前記弾性部材は、その内部に前記支柱片のほぼ全長に亘った侵入を許容する穴を有し、前記支柱片は、四角柱状に形成されているとともに、内側の孔の平面形状が前記支柱片の断面形状に対応した四角形の円筒状に形成されて、前記穴の内面と前記穴に侵入した支柱片との間に配されるスリーブを更に備え、たことを特徴としている。
［０００９］
前記第２の目的を達成するために、本発明のダンパ機構は、第１の部材から立設する支柱片と、第２の部材に取り付けられ、内部に前記支柱片の侵入を許容する弾性部材と、を備え、前記支柱片が前記弾性部材の内部に侵入することにより前記第１の部材と前記第２の部材との相対的な移動を減衰させるとともに、前記弾性部材の内部に侵入した前記支柱片と前記弾性部材との間に保護部材を配し、前記保護部材は、樹脂成形されていることを特徴としている。
【図面の簡単な説明】
［００１０］
［図１］本発明の第１の実施例にかかるダンパ機構を備えたＣＤプレーヤを示す分解斜視図である。
［図２］本発明の第１の実施例にかかるダンパ機構の分解斜視図である。
［図３］図２に示されたダンパ機構の他の分解斜視図である。
［図４］図２に示されたダンパ機構のダンパを示す斜視図である。
［図５］図２に示されたダンパ機構の支柱片を示す斜視図である。
［図６］図２に示されたダンパ機構の支柱片を示す平面図である。
［図７］図２に示されたダンパ機構の断面図である。
【図８】本発明の第２の実施例にかかるダンパ機構の分解斜視図である。
【図９】図８に示されたダンパ機構の支柱片を示す斜視図である。
【図１０】図８に示されたダンパ機構の一部の分解斜視図である。
【図１１】図８に示されたダンパ機構の断面図である。
【図１２】図２に示されたダンパ機構の変形例を示す分解斜視図である。
【図１３】図１２に示されたダンパ機構の支柱片を示す斜視図である。
【符号の説明】
【００１１】
１  ダンパ機構
６  底板（第２の部材）
８  移動シャーシ（第１の部材）
９  支柱片
９ａ  角
１０  ダンパ（弾性部材）
１１  細部
１２  太部
１８  穴
１９  スリーブ（保護部材）
【発明を実施するための最良の形態】
【００１２】
以下、本発明の一実施形態を説明する。本発明の一実施形態にかかるダンパ機構は、第１の部材から立設するように切り起こされた支柱片を、第２の部材に取り付けられた弾性部材の内部に挿入することで、第１の部材と第２の部材とを相対的に移動自在にする。このように、支柱片を板金を含んだ第１の部材と一体にすることで、部品点数と組み立てにかかる工数とを削減できるようにしている。
【００１３】
また、支柱片の角に面取りが施されてもよい。この場合、支柱片のよる弾性部材の不意に破損することを防止できる。
【００１４】
また、支柱片が、第１の部材寄りの細部と、第２の部材寄りの太部とを備えても良い。この場合、支柱片を弾性部材内挿入すると、太部が弾性部材内に引っ掛かって、支柱片が弾性部材内から抜け出ることを防止できる。したがって、支柱片から弾性部材が脱落することを防止できる。
【００１５】
さらに、支柱片が、四角柱状に形成され、弾性部材の穴の平面形状が、四角形に形成されても良い。この場合、弾性部材と支柱片とが密に接する。したがって、支柱片から弾性部材が脱落することを防止できる。
【００１６】
弾性部材の穴の内面と支柱片との間に配されたスリーブを備えても良い。この場合、弾性部材と支柱片とが直接接触することを防止できるとともに、スリーブが弾性部材を保護して、該弾性母材が不意に破損することを確実に防止できる。
【００１７】
また、ダンパ機構は、第１の部材から立設した支柱片を、第２の部材に取り付けられた弾性部材の内部に挿入することで、第１の部材と第２の部材とを相対的に移動自在にする。弾性部材の内部に侵入した支柱片と弾性部材との間に保護部材を設けている。こうすることで、弾性部材と支柱片とが直接接触することを防止して弾性部材を保護し、弾性部材が不意に破損することを防止できるようにしている。
【実施例１】
【００１８】
本発明の第１の実施例を、図１ないし図７に基づいて説明する。本発明の一実施例に係るダンパ機構１は、例えば、図１に示す電子機器としてのＣＤプレーヤ２に取り付けられる。ＣＤプレーヤ２は、移動体としての自動車に取り付けられて、記録媒体としてのＣＤの情報を読み出して再生する装置である。
【００１９】
ＣＤプレーヤ２は、図１に示すように、機器本体３と、再生部４とを備えている。機器本体３は、図示しないケースと、固定シャーシ５とを備えている。ケースは、ＣＤプレーヤ２の外殻を形成し、合成樹脂からなる扁平な箱状に形成されている。
【００２０】
固定シャーシ５は、板金からなり、ケース内に収容されて、該ケースに取り付けられている。固定シャーシ５は、底板６と、該底板６の外縁から立設した複数の周板７とを備えている。固定シャーシ５の底板６は、本明細書に記した第２の部材をなしている。
【００２１】
再生部４は、固定シャーシ５内に収容されている。再生部４は、少なくとも板金を含んだ移動シャーシ８を複数備えている。移動シャーシ８には、前述したＣＤをクランプして回転するユニットや、ＣＤから情報を読み出す光ピックアップなどが取り付けられている。再生部４は、前述したＣＤをクランプし、該ＣＤを回転する。再生部４は、ＣＤから情報を読み出す。再生部４の移動シャーシ８は、ダンパ機構１により、ケース及び固定シャーシ５則ち機器本体３に対し移動自在に支持される。なお、再生部４の移動シャーシ８は、本明細書に記した第１の部材をなしている。
【００２２】
ダンパ機構１は、図２及び図３に示すように、支柱片９と、弾性変形自在な弾性部材としてのダンパ１０とを備えている。支柱片９は、移動シャーシ８と一体に形成されている。支柱片９は、移動シャーシ８から底板６に向かって、これらの移動シャーシ８と底板６との双方に直交する方向に立設している。
【００２３】
支柱片９は、移動シャーシ８を構成する板金の一部が、立設するように切り起こされて形成されている。支柱片９は、四角柱状に形成されている。支柱片９は、図５及び図６に示すように、移動シャーシ８寄りの細部１１と、この細部１１に連なりかつ該細部１１より底板６寄りに配された太部１２とを一体に備えている。太部１２の幅は、勿論細部１１の幅より広い。このため、支柱片９は、先太に形成されている。また、支柱片９の角９ａには、細部１１と太部１２とに亘って、面取りが施されている。このため、支柱片９の角９ａは、曲面に形成されている。
【００２４】
前述した支柱片９は、板金に打ち抜き成形が施されて、移動シャーシ８と同時に必要な形状に形成された後、角９ａに面取りが施されて、移動シャーシ８から底板６に向かって曲げる曲げ加工が施されて形成される。このように、支柱片９は、板金に打ち抜き加工と曲げ加工とが施されて得られる。このように、支柱片９を、打ち抜き加工と曲げ加工とにより形成することを、本明細書では、切り起こすという。
【００２５】
ダンパ１０は、図４及び図７に示すように、外側ケース１３と、ゴムなどの弾性体からなる外皮１４と、シリコーンオイル１５（図７に示す）とを備えている。外側ケース１３は、有底筒状に形成されている。外側ケース１３は、底板部１６と、この底板部１６の外縁部から立設した円筒部１７とを一体に備えている。外側ケース１３の底板部１６は、固定シャーシ５の底板６に重ねられて、該底板６に取り付けられる。このように、外側ケース１３則ちダンパ１０は、固定シャーシ５の底板６に取り付けられる。
【００２６】
外皮１４は、薄い膜状に形成されており、外側ケース１３の円筒部１７の底板部１６から離れた側の縁で形成される開口部を塞ぐ格好で、該円筒部１７に取り付けられている。また、外皮１４は、外側ケース１３から移動シャーシ８に向かって凸に形成されている。外皮１４は、厚みが一定に形成されている。
【００２７】
外皮１４の中央には、移動シャーシ８から離れる方向に凹の穴１８が形成されている。穴１８は、外皮１４を貫通することなく、該外皮１４が移動シャーシ８から離れる方向に湾曲して形成されている。穴１８の平面形状は、前記支柱片９の長手方向に直交する断面形状と等しい四角形状に形成されている。このように、ダンパ１０の穴１８は、支柱片９の断面形状に応じた四角形である。穴１８は、内部への支柱片９の侵入を許容する。穴１８は、内部に支柱片９の略全長に亘った侵入を許容する。シリコーンオイル１５は、前述した外側ケース１３と外皮１４との内側に充填されている。
【００２８】
前述した構成のダンパ１０は、シリコーンオイル１５が外側ケース１３と外皮１４との内側を移動し、かつ外皮１４が弾性変形することで、弾性変形自在となっている。
【００２９】
前述した構成のダンパ機構１は、図７に示すように、ダンパ１０が固定シャーシ５の底板６に取り付けられ、該ダンパ１０の穴１８の内部に支柱片９の略全長が侵入して、組み立てられる。そして、ダンパ機構１は、前述した自動車などに振動などが作用すると、ダンパ１０が弾性変形する。ダンパ機構１は、ダンパ１０が弾性変形することで、固定シャーシ５の底板６則ち機器本体３と、移動シャーシ８則ち再生部４とが相対的に移動することを許容する。
【００３０】
また、ダンパ機構１は、ダンパ１０の弾性変形により生じる復元力により、固定シャーシ５の底板６則ち機器本体３と、移動シャーシ８則ち再生部４との相対的な移動を徐々に減衰させる。このように、ダンパ機構１は、固定シャーシ５の底板６則ち機器本体３と移動シャーシ８則ち再生部４とを相対的に移動自在に支持している。さらに、ダンパ機構１は、支柱片９がダンパ１０の内部に侵入することにより、固定シャーシ５の底板６則ち機器本体３と、移動シャーシ８則ち再生部４との相対的な移動を減衰させる。
【００３１】
本実施例によれば、ダンパ１０の穴１８に侵入する支柱片９が、板金を含んだ第１の部材としての移動シャーシ８から切り起こされている。このように、支柱片９が、第１の部材としての移動シャーシ８と一体に形成されている。したがって、部品点数と組み立てにかかる工数を削減できる。
【００３２】
支柱片９の角９ａに面取りが施されているので、支柱片９とダンパ１０の穴１８の内面とが直接接触しても、支柱片９の角９ａにより外皮１４が破れる等の破損することを防止でき、支柱片９によりダンパ１０が不意に破損することを防止できる。
【００３３】
支柱片９が移動シャーシ８寄りの細部１１と底板６寄りの太部１２とを備えているので、支柱片９をダンパ１０の穴１８内に挿入すると、支柱片９がダンパ１０の穴１８から抜け出ることを防止できる。したがって、支柱片９からダンパ１０が不意に脱落することを防止できる。
【００３４】
ダンパ１０の穴１８の平面形状が、支柱片９の断面形状に応じた四角形状に形成されているので、ダンパ１０の穴１８内に支柱片９を挿入すると、ダンパ１０の穴１８の内面と支柱片９とが密に接触する。したがって、ダンパ１０と支柱片９とを確実に固定でき、支柱片９からダンパ１０が不意に脱落することを防止できる。
【実施例２】
【００３５】
次に、本発明の第２の実施例を、図８ないし図１１に基づいて説明する。なお、前述した第１の実施例と同一部分には、同一符号を付して説明を省略する。
【００３６】
本実施例では、支柱片９は、前述した第１の実施例と同様に、図８ないし図１０に示すように、移動シャーシ８から立設するように切り起こされている。支柱片９は、全長にわたって細部１１が設けられており、太部１２が設けられていない。支柱片９の角９ａには、面取りが施されていない。また、本実施例では、穴１８の平面形状は、円形に形成されている。穴１８の内径は、該穴１８の長手方向に沿って一定に形成されている。
【００３７】
さらに、本実施例では、ダンパ機構１は、図８、図１０及び図１１に示すように、保護部材としてのスリーブ１９を備えている。スリーブ１９は、円筒状であり、合成樹脂などにより成形されている。スリーブ１９の内側の孔の平面形状は、支柱片９の断面形状と等しい。また、スリーブ１９の外径は、穴１８の内径と等しい。本実施例のダンパ機構１は、図１１に示すように、支柱片９の外側にスリーブ１９が嵌合し、該スリーブ１９が、穴１８内に挿入されて組み立てられる。このように、ダンパ機構１は、ダンパ１０の穴１８の内面と、該穴１８に侵入した支柱片９との間にスリーブ１９を配し、該スリーブ１９が、支柱片９の外周に取り付けられかつ穴１８の内周に配されている。
【００３８】
本実施例によれば、前述した第１の実施例と同様に、ダンパ１０の穴１８に侵入する支柱片９が、板金を含んだ第１の部材としての移動シャーシ８から切り起こされている（立設している）。このように、支柱片９が、第１の部材としての移動シャーシ８と一体に形成されている。したがって、部品点数と組み立てにかかる工数を削減できる。
【００３９】
また、ダンパ１０の穴１８の内面と、該穴１８に侵入した支柱片９との間に円筒状のスリーブ１９を設けている。このため、ダンパ１０と支柱片９とが直接接触することを防止できるとともに、ダンパ１０が円筒状のスリーブ１９の外周面に接触することとなる。よって、穴１８の内面が支柱片９により押圧されても、スリーブ１９がダンパ１０を保護し、ダンパ１０が不意に破損することを防止できる。
【００４０】
また、本発明では、前述した第１の実施例において、図１２及び図１３に示すように、支柱片９の角９ａに面取りを施さなくても良い。また、本発明では、前述した第１の実施例において、支柱片９に太部１２を設けなくても良い。
【００４１】
前述した実施例では、電子機器としてＣＤプレーヤ２を示している。しかしながら、本発明では、ＣＤプレーヤ２に限らず、種々の電子機器に適用しても良い。
【００４２】
また、前述した第２の実施例において、スリーブ１９を設けた場合には、必ずしも支柱片９を移動シャーシ８と一体に形成しなくても良い。則ち、支柱片９を移動シャーシ８と別体にしても良い。スリーブ１９を支柱片９の外周に取り付けなくても良い。
【００４３】
前述した実施例によれば、以下のダンパ機構１が得られる。
【００４４】
（付記１）  少なくとも板金を含んだ移動シャーシ８から立設するように切り起こされた支柱片９と、
底板６に取り付けられ、内部に前記支柱片９の侵入を許容するダンパ１０と、を備え、
前記支柱片９が前記ダンパ１０の内部に侵入することにより前記移動シャーシ８と前記底板６との相対的な移動を減衰させることを特徴とするダンパ機構１。
【００４５】
（付記２）  前記支柱片９の角に面取りが施されていることを特徴とする付記１記載のダンパ機構１。
【００４６】
（付記３）  前記支柱片９が、前記移動シャーシ８寄りの細部１１と、この細部１１に連なりかつ該細部１１より前記底板６寄りに位置しているとともに前記細部１１より太い太部１２と、を備えたことを特徴とする付記１又は付記２記載のダンパ機構１。
【００４７】
（付記４）  前記ダンパ１０は、その内部に前記支柱片９のほぼ全長に亘った侵入を許容する穴１８を有し、
前記支柱片９は、四角柱状に形成されているとともに、
前記穴１８の平面形状は、前記支柱片９の断面形状に対応した四角形であることを特徴とする付記１ないし付記３のうちいずれか一項に記載のダンパ機構１。
【００４８】
（付記５）  前記穴１８の内面と前記穴１８に侵入した支柱片９との間に配されるスリーブ１９を更に備えたことを特徴とする付記４に記載のダンパ機構１。
【００４９】
（付記６）  前記スリーブ１９は、前記支柱片９の外周に取り付けられていることを特徴とする付記５に記載のダンパ機構１。
【００５０】
（付記７）  移動シャーシ８から立設する支柱片９と、
底板６に取り付けられ、内部に前記支柱片９の侵入を許容するダンパ１０と、を備え、
前記支柱片９が前記ダンパ１０の内部に侵入することにより前記移動シャーシ８と前記底板６との相対的な移動を減衰させるとともに、前記ダンパ１０の内部に侵入した前記支柱片９と前記ダンパ１０との間にスリーブ１９を配することを特徴とするダンパ機構１。
【００５１】
（付記８）  前記スリーブ１９は、合成樹脂により成形されていることを特徴とする付記７に記載のダンパ機構１。
【００５２】
なお、前述した実施例は本発明の代表的な形態を示したに過ぎず、本発明は、実施例に限定されるものではない。即ち、本発明の骨子を逸脱しない範囲で種々変形して実施することができる。
【図１】
0004571949.tif 000002
【図２】
0004571949.tif 000003
【図３】
0004571949.tif 000004
【図４】
0004571949.tif 000005
【図５】
0004571949.tif 000006
【図６】
0004571949.tif 000007
【図７】
0004571949.tif 000008
【図８】
0004571949.tif 000009
【図９】
0004571949.tif 000010
【図１０】
0004571949.tif 000011
【図１１】
0004571949.tif 000012
【図１２】
0004571949.tif 000013
【図１３】
0004571949.tif 000014